(57)【要約】【課題】組立作業をより少ない労力で行えるようになるシャッター装置のシャッターケース及びその施工方法を提供すること。【解決手段】シャッターカーテンを収納するための収納空間の外側を形成するシャッターケースの構造体は、巻取軸の端部を支持する左右のブラケット１０のブラケット本体部２０の前端部２０Ｃの上部２０Ｄに架け渡された棒状部材である横部材１２と、この横部材１２に取り付けられ、前記構造体の表面のうちの前表面部と底表面部を形成する第１面状部材である第１化粧部材４１とを含んで構成されており、この第１化粧部材４１の前表面部を形成する第１垂下部４１Ａの上端部には、チャンネル材となっている横部材１２の下方延出部であるリップ部１２Ｃに係止可能な係止部であって折り曲げ部となっている下方延出部である第２垂下部４１Ｇが設けられている。【選択図】図１５
2014136904.tif 000002
【特許請求の範囲】
【請求項１】
開閉移動するシャッターカーテンを収納するための収納空間が内部に設けられている構造体が、棒状部材と、この棒状部材に取り付けられ、前記構造体の表面を形成する面状部材とを含んで構成されるシャッター装置のシャッターケースにおいて、
前記面状部材には、前記棒状部材に係止可能な係止部が設けられていることを特徴とするシャッター装置のシャッターケース。
【請求項２】
請求項１に記載のシャッター装置のシャッターケースにおいて、前記係止部は、前記面状部材の端部に設けられた折り曲げ部となっていることを特徴とするシャッター装置のシャッターケース。
【請求項３】
請求項２に記載のシャッター装置のシャッターケースにおいて、前記面状部材には、前記棒状部材に載置される被載置部が設けられ、前記折り曲げ部は、この被載置部から折り曲げられた部分となっていることを特徴とするシャッター装置のシャッターケース。
【請求項４】
請求項３に記載のシャッター装置のシャッターケースにおいて、前記棒状部材には、前記面状部材の前記被載置部が載置する載置部が設けられ、この載置部は、下向きに延びる下方延出部を有しており、前記被載置部も、前記載置部の前記下方延出部と対向していて下向きに延びる下方延出部を有しているとともに、この下方延出部が前記折り曲げ部となっていることを特徴とするシャッター装置のシャッターケース。
【請求項５】
請求項１〜４のいずれかに記載のシャッター装置のシャッターケースにおいて、前記係止部は、前記構造体の長さ方向である前記面状部材の幅方向全長又は略全長に渡って設けられていることを特徴とするシャッター装置のシャッターケース。
【請求項６】
請求項１〜５のいずれかに記載のシャッター装置のシャッターケースにおいて、前記構造体の前記表面は、前表面部と、底表面部と、上表面部と、左右の側表面部とを有し、前記面状部材は、前記前表面部と、前記底表面部と、前記上表面部と、前記左右の側表面部とのうち、少なくとも前記前表面部を形成する部材となっており、前記係止部は、前記面状部材における前記前表面部の上端部の折り曲げにより形成されていることを特徴とするシャッター装置のシャッターケース。
【請求項７】
請求項６に記載のシャッター装置のシャッターケースにおいて、前記シャッターカーテンは、巻取軸によって巻き取られ、繰り出され、前記棒状部材は、前記シャッター装置が設置されている構築物の躯体に結合されていて前記巻取軸の端部を支持する左右一対のブラケットに架け渡されており、この架け渡されている部分は、前記左右のブラケットにおける前記躯体側とは反対側である前端部の上部であることを特徴とするシャッター装置のシャッターケース。
【請求項８】
請求項６又は７に記載のシャッター装置のシャッターケースにおいて、前記面状部材は第１面状部材であり、前記上表面部を形成する第２面状部材を有し、この第２面状部材には、前記第１面状部材の前記係止部の外側を覆う覆い部が設けられていることを特徴とするシャッター装置のシャッターケース。
【請求項９】
開閉移動するシャッターカーテンを収納するための収納空間が内部に設けられている構造体が、棒状部材と、この棒状部材に取り付けられ、前記構造体の表面を形成する面状部材とを含んで構成されるシャッター装置のシャッターケース施工方法であって、
前記面状部材に設けられている係止部を前記棒状部材に係止する工程と、
前記面状部材を前記棒状部材に取り付ける工程と、
を含んでいることを特徴とするシャッター装置のシャッターケース施工方法。
【請求項１０】
請求項９に記載のシャッター装置のシャッターケース施工方法において、前記構造体の前記表面は、前表面部と、底表面部と、上表面部と、左右の側表面部とを有し、前記面状部材は、前記前表面部と、前記底表面部と、前記上表面部と、前記左右の側表面部とのうち、少なくとも前記前表面部を形成する部材となっており、前記係止部は、前記面状部材における前記前表面部の上端部の折り曲げにより形成されており、
前記棒状部材が架け渡される左右一対のブラケットを前記シャッター装置が設置されている構築物の躯体に結合する工程と、
前記左右のブラケットにおける前記躯体側とは反対側である前端部の上部に前記棒状部材を架け渡す工程と、が含まれており、
これらの工程が実施された後に、前記面状部材に設けられている前記係止部を前記棒状部材に係止する前記工程と、前記面状部材を前記棒状部材に取り付ける工程とが実施されることを特徴とするシャッター装置のシャッターケース施工方法。
【発明の詳細な説明】
【技術分野】
【０００１】
本発明は、シャッター装置のシャッターケース及びその施工方法に係り、例えば、車庫用シャッター装置、店舗等の出入口用シャッター装置、防災用シャッター装置、オーニング装置、防煙垂れ壁装置、オーバースライディングドア（オーバーヘッドドア）装置などの各種のシャッター装置、に用いることができるものである。
【背景技術】
【０００２】
シャッター装置、例えば、車庫用シャッター装置や、店舗等の出入口用シャッター装置には、下記の特許文献１に示されているように、開閉移動するシャッターカーテンを収納するためのシャッターケースが備えられている。
【０００３】
このシャッターケースは、一般的には、開閉移動するシャッターカーテンを収納するための収納空間が内部に設けられている構造体が、棒状部材と、この棒状部材に取り付けられ、前記構造体の表面を形成する面状部材とを含んで構成されるものとなっている。
【先行技術文献】
【特許文献】
【０００４】
【特許文献１】特開２００５−６８７５５号公報
【発明の概要】
【発明が解決しようとする課題】
【０００５】
ところで、上述したシャッターケースを施工する（組み立てる）作業のうち、シャッターケースを構成する構造体の棒状部材に面状部材を取り付ける作業は、従来、１人の作業者が面状部材を棒状部材に取り付ける位置まで持ち上げた状態で（持ち上げながら）、もう１人の作業者が面状部材を棒状部材に取り付ける（例えば、ビス等の結合具で結合する）というものであり、労力が掛かるものであった。
【０００６】
このため、施工作業をより少ない労力で行えるシャッターケース及びその施工方法の工夫が求められている。
【０００７】
本発明の目的は、施工作業をより少ない労力で行えるようになるシャッター装置のシャッターケース及びその施工方法を提供するところにある。
【課題を解決するための手段】
【０００８】
本発明に係るシャッター装置のシャッターケースは、開閉移動するシャッターカーテンを収納するための収納空間が内部に設けられている構造体が、棒状部材と、この棒状部材に取り付けられ、前記構造体の表面を形成する面状部材とを含んで構成されるシャッター装置のシャッターケースにおいて、前記面状部材には、前記棒状部材に係止可能な係止部が設けられていることを特徴とするものである。
【０００９】
すなわち、本発明に係るシャッター装置のシャッターケースでは、開閉移動するシャッターカーテンを収納するための収納空間が内部に設けられている構造体を構成し、この構造体の表面を形成する面状部材には、前記構成体を構成し、この面状部材が取り付けられる棒状部材に係止可能な係止部が設けられている。
【００１０】
これにより、シャッターケースを施工する（組み立てる）作業のうち、シャッターケースを構成する構造体の棒状部材に面状部材を取り付ける作業において、作業者は、まず面状部材を持ち上げてこの面状部材に設けられた係止部を棒状部材に係止させ、面状部材を棒状部材に係止させた状態とすることができる。この後、作業者は、面状部材を棒状部材に取り付ける（例えば、ビス等の結合具で結合する）作業に専念することができる。
【００１１】
すなわち、本発明では、シャッターケースを施工する作業のうち、シャッターケースを構成する構造体の棒状部材に面状部材を取り付ける作業において、前述した従来のように、１人の作業者が面状部材を棒状部材に取り付ける位置まで持ち上げた状態で（持ち上げながら）、もう１人の作業者が面状部材を棒状部材に取り付けるということをしなくて済むようになり、棒状部材に面状部材を取り付けるためのこれらの作業を１人の作業者でも行うことができるようになる。
【００１２】
このため、本発明によると、シャッターケースの施工作業をより少ない労力で行えるようになる。
【００１３】
本発明において、面状部材に設ける係止部の形状、構造は、棒状部材に係止可能となるものであれば任意なものでよく、また、面状部材に係止部を設ける位置（箇所）も、棒状部材に係止可能となるものであれば任意な位置でよい。
【００１４】
面状部材に設ける係止部の一例として、面状部材の端部に設けた折り曲げ部を挙げることができる。
【００１５】
ここで、面状部材の端部とは、面状部材の上端部でもよく、側端部である左端部や右端部でもよく、下端部でもよく、これらの複合（組合せ）でもよい。
【００１６】
なお、係止部は、上述した面状部材の端部の折り曲げ加工によるものでもよく、押し出し加工（成形）や引き抜き加工（成形）によるものでもよく、面状部材とは別体となっていてこの面状部材の端部に取り付けられるもの（例えば、フック部材）であってもよい。
【００１７】
本発明に係る係止部を、上述したように、面状部材の端部に設けた折り曲げ部とした場合には、面状部材には、棒状部材に載置される被載置部を設け、折り曲げ部は、この被載置部から折り曲げられた部分としてもよい。
【００１８】
これによると、面状部材に棒状部材に取り付けるために、作業者が、まず面状部材を持ち上げ、この面状部材に設けられた被載置部を棒状部材に載置することにより、面状部材が棒状部材から吊り下げられた状態となるとともに、この面状部材に設けられた係止部となっている折り曲げ部が棒状部材に係止された状態となる。言い換えると、作業者が、面状部材に設けられた被載置部を棒状部材に載置することにより、面状部材の棒状部材への取付位置が決定又は略決定された状態となる。
【００１９】
この後、作業者は、棒状部材から吊り下げられた状態となっている面状部材を棒状部材に取り付ける作業に専念することができる。
【００２０】
本発明において、上述したように、面状部材には、棒状部材に載置される被載置部を設け、折り曲げ部は、この被載置部から折り曲げられた部分とした場合において、棒状部材には、面状部材の被載置部が載置する載置部を設け、この載置部は、下向きに延びる下方延出部を有するものとし、面状部材の被載置部も、棒状部材の載置部の下方延出部と対向していて下向きに延びる下方延出部を有するものとし、この下方延出部を折り曲げ部とするようにしてもよい。
【００２１】
これによると、面状部材の被載置部が棒状部材の載置部に載置することにより、面状部材が棒状部材から吊り下げられた状態となるとともに、この面状部材の被載置部の下方延出部が棒状部材の載置部の下方延出部に係止された状態となる。
【００２２】
以上の本発明において、係止部は、構造体の長さ方向である面状部材の幅方向全長又は略全長に渡って設けてもよく、設けなくてもよい。
【００２３】
後者の場合には、係止部は、例えば、面状部材の幅方向両端部に設けるようにしてもよく、面状部材の幅方向途中部に複数個設けるようにしてよく、面状部材の幅方向両端部に設けるとともに、面状部材の幅方向途中部に１個又は複数個設けるようにしてよい。なお、複数個の係止部は、所定の間隔をおいて設けるようにしてもよく、しなくてもよい。
【００２４】
以上の本発明において、開閉移動するシャッターカーテンを収納するための収納空間が内部に設けられている構造体の表面は、前表面部と、底表面部と、上表面部と、左右の側表面部とを有するものとしてもよく、さらに、後表面部を有するものとしてもよい。
【００２５】
前者の場合には、面状部材を、前表面部と、底表面部と、上表面部と、左右の側表面部とのうち、少なくとも前表面部を形成する部材とし、係止部を、面状部材における前表面部の上端部の折り曲げにより形成したものとしてもよい。
【００２６】
本発明において、シャッターカーテンは、巻取軸によって巻き取られ、繰り出されるものであってもよく、なくてもよい。
【００２７】
また、本発明において、棒状部材を架け渡す場所は、任意な場所でよい。シャッターカーテンが、上述したように、巻取軸によって巻き取られ、繰り出されるものである場合には、棒状部材は、シャッター装置が設置されている構築物の躯体に結合されていて巻取軸の端部を支持する左右一対のブラケットに架け渡すようにし、この架け渡されている部分は、左右のブラケットにおける躯体側と反対側である前端部の上部としてもよい。
【００２８】
上述したように、構造体の表面が、前表面部と、底表面部と、上表面部と、左右の側表面部とを有するものとし、面状部材を、前表面部と、底表面部と、上表面部と、左右の側表面部とのうち、少なくとも前表面部を形成する部材とし、係止部を、面状部材における前表面部の上端部の折り曲げにより形成したものとした場合において、前記面状部材を第１面状部材とすると、上表面部を形成する第２面状部材を有するものとし、この第２面状部材には、第１面状部材の係止部の外側を覆う覆い部を設けるようにしてもよい。
【００２９】
これによると、上表面部を形成する第２面状部材に雨水が流れ込んだとしても、この第２面状部材に設けられた覆い部により、第１面状部材の係止部に雨水が流れ込むことが防止される。すなわち、これによると、第１面状部材の係止部に対する雨仕舞いが適切に行われるようになる。
【００３０】
なお、第１面状部材は、構造体の前表面部と底表面部を形成するものであってもよく、構造体の前表面部と底表面部と左右の側表面部を形成するものであってもよい。この場合において、第１面状部材は、１個（１枚）の面状部材の折り曲げにより形成するものであってもよく、複数個の面状部材の溶着等により形成するものであってもよい。
【００３１】
また、第２面状部材は、構造体の上表面部と左右の側表面部を形成するものであってもよい。この場合においても、第２面状部材は、１個（１枚）の面状部材の折り曲げにより形成するものであってもよく、複数個の面状部材の溶着等により形成するものであってもよい。
【００３２】
なお、構造体の左右の側表面部は、第１及び第２面状部材とは別部材となっている第３面状部材で形成されるものであってもよい。
【００３３】
本発明において、シャッターケースの長さ方向となる構造体の長さ方向の寸法が大きいものとなる場合には、構造体の前表面部、上表面部、底表面部のそれぞれは、複数個の面状部材を構造体の長さ方向（言い換えると、面状部材の幅方向）に並設して形成するようにしてもよい。
【００３４】
これによると、１個当りの面状部材の重量が小さくなるため、作業者は、面状部材の係止部を棒状部材に係止する作業を、構造体の前表面部、上表面部、底表面部のそれぞれを１個の面状部材で形成した場合と比較して、より楽に行うことができる。
【００３５】
また、本発明において、棒状部材の形状、構造は、任意なものでよく、例えば、チャンネル部材でもよく、断面形状が方形や円形となっている柱状部材でもよく、断面形状が方形や円形となっている筒状部材等でもよい。
【００３６】
なお、チャンネル部材とは、リップ部を有するものであってもよく、なくてもよい。前者の場合には、リップ部を有するチャンネル材の形状、構造は、具体的には、底部と、この底部の幅方向両端から平行に立ち上がった一対の壁部と、それぞれの壁部の上端に互いに近づく方向に水平に延出した一対のリップ部と、を有するものである。このリップ部を有するチャンネル材は、上向きに開口した状態で架け渡されるものでもよく、下向きに開口した状態で架け渡されるものでもよく、横向きに開口した状態で架け渡されるものでもよい。
【００３７】
なお、本発明において、前述したように、シャッター装置が設置されている構築物の躯体に結合されていて巻取軸の端部を支持する左右一対のブラケットにおける左右のブラケットにおける躯体側と反対側である前端部の上部に架け渡した棒状部材を第１棒状部材とすると、左右のブラケットにおける躯体側である後端部の上部に第２棒状部材を架け渡すようにしてもよい。
【００３８】
これによると、構造体の剛性をより高めることができる。
【００３９】
本発明に係るシャッター装置のシャッターケース施工方法は、開閉移動するシャッターカーテンを収納するための収納空間が内部に設けられている構造体が、棒状部材と、この棒状部材に取り付けられ、前記構造体の表面を形成する面状部材とを含んで構成されるシャッター装置のシャッターケース施工方法であって、前記面状部材に設けられている係止部を前記棒状部材に係止する工程と、前記面状部材を前記棒状部材に取り付ける工程と、を含んでいることを特徴とするものである。
【００４０】
すなわち、本発明に係るシャッター装置のシャッターケース施工方法では、開閉移動するシャッターカーテンを収納するための収納空間が内部に設けられている構造体を構成し、この構造体の表面を形成する面状部材に設けられている係止部を棒状部材に係止する工程が実施された後、面状部材を棒状部材に取り付ける工程が実施される。
【００４１】
これにより、シャッターケースを施工する（組み立てる）作業のうち、シャッターケースを構成する構造体の棒状部材に面状部材を取り付ける作業において、作業者は、まず面状部材を持ち上げてこの面状部材に設けられた係止部を棒状部材に係止させ、面状部材を棒状部材に係止させた状態とすることができる。この後、作業者は、面状部材を棒状部材に取り付ける（例えば、ビス等の結合具で結合する）作業に専念することができる。
【００４２】
すなわち、本発明では、シャッターケースを施工する作業のうち、シャッターケースを構成する構造体の棒状部材に面状部材を取り付ける作業において、前述した従来のように、１人の作業者が面状部材を棒状部材に取り付ける位置まで持ち上げた状態で（持ち上げながら）、もう１人の作業者が面状部材を棒状部材に取り付けるということをしなくて済むようになり、棒状部材に面状部材を取り付けるためのこれらの作業を１人の作業者でも行うことができるようになる。
【００４３】
このため、本発明によると、シャッターケースの施工作業をより少ない労力で行えるようになる。
【００４４】
本発明に係るシャッター装置のシャッターケース施工方法において、構造体の表面が、前表面部と、底表面部と、上表面部と、左右の側表面部とを有するものとし、面状部材が、前表面部と、底表面部と、上表面部と、左右の側表面部とのうち、少なくとも前表面部を形成する部材となっているものとし、係止部を、面状部材における前表面部の上端部の折り曲げにより形成したものとし、棒状部材が架け渡される左右一対のブラケットをシャッター装置が設置されている構築物の躯体に結合する工程と、左右のブラケットにおける躯体側とは反対側である前端部の上部に棒状部材を架け渡す工程と、が含まれるようにし、これらの工程が実施された後に、上述したように、面状部材に設けられている係止部を棒状部材に係止する工程と、面状部材を棒状部材に取り付ける工程とが実施されるようにしてもよい。
【００４５】
ここで、棒状部材が架け渡される左右一対のブラケットは、棒状部材を架け渡すためだけのもの（すなわち、棒状部材の架け渡し専用のもの）であってもよく、他の部材を支持するとともに、棒状部材を架け渡すものであってもよい。
【００４６】
後者の場合には、例えば、シャッターカーテンが巻取軸によって巻き取られ、繰り出されるものである場合には、この巻取軸の端部を支持するためのものであってもよく、なくてもよい。
【００４７】
以上の本発明において、シャッター装置が設置される構築物は、車庫でもよく、住宅やビル等の建築物でもよい。また、シャッター装置は、車庫用シャッター装置でもよく、店舗等の出入口用シャッター装置でもよく、防災用シャッター装置でもよく、オーニング装置でもよく、防煙垂れ壁装置でもよく、オーバースライディングドア（オーバーヘッドドア）装置でもよく、任意の用途のシャッター装置でよい。
【００４８】
また、本発明において、構築物の躯体は、壁でもよく、柱や梁等の構造材でもよく、任意の材料による躯体でよい。
【００４９】
さらに、シャッターカーテンは任意の部材で形成されたものでよく、この部材は、スラットやパネルでもよく、また、シートや、リンク部材で連結されたパイプ等の棒状の部材でもよく、また、ネット部材等でもよく、あるいは、複数の種類の部材を組み合わせたものでもよい。
【発明の効果】
【００５０】
本発明によると、シャッター装置のシャッターケースの施工作業をより少ない労力で行えるようになるという効果を得られる。
【図面の簡単な説明】
【００５１】
【図１】図１は、本発明の一実施形態に係るシャッター装置となっている車庫用シャッター装置の全体を示す正面図である。
【図２】図２は、図１で示されているシャッターケースの全体を示す斜視図である。
【図３】図３は、シャッターケースの骨組みだけを示す斜視図である。
【図４】図４は、図３のシャッターケースの骨組みを一部を省略して示す底面図である。
【図５】図５は、シャッターケースの骨組みが車庫の躯体である壁に設置されたときを示す側断面図である。
【図６】図６は、シャッターケースの左右のブラケットのうち、一方のブラケットと、このブラケットに結合されているまぐさ補助部材と、左右のブラケットのまぐさ補助部材に架け渡される内まぐさ部材とを示す斜視図である。
【図７】図７は、架け渡し部材である外まぐさ部材を一部を省略して示す斜視図である。
【図８】図８は、図２で示されているシャッターケースの正面図である。
【図９】図９は、図２で示されているシャッターケースの底面図である。
【図１０】図１０は、図８のＳ１０−Ｓ１０線断面図である。
【図１１】図１１は、図１０で示されているシャッターケースから、第１及び第２面状部材である第１及び第２化粧部材が取り外されたときを示す図である。
【図１２】図１２は、車庫の壁に結合された外まぐさ部材の端部にブラケットを配設するための作業を示す側断面図である。
【図１３】図１３は、図１２の配設作業が行われ、ブラケットを車庫の壁に取り付ける作業が行われたときを示す側断面図である。
【図１４】図１４は、図１２の作業後に、外まぐさ部材の両端に左右のブラケットが配設されたときを示す斜視図である。
【図１５】図１５は、シャッターケースの第１化粧部材と第２化粧部材を取り付ける手順を示す図１０と同様の図である。
【発明を実施するための形態】
【００５２】
以下に本発明を実施するための形態を図面に基づいて説明する。本実施形態に係るシャッター装置は、シャッターカーテンで開閉される開口部が車両出入口となっている車庫用シャッター装置であり、図１には、この車庫用シャッター装置の全体の正面図が示されている。
【００５３】
車庫用シャッター装置のシャッターカーテン１は、多数のスラット２が上下に連設されることにより形成されているとともに、シャッターカーテン１の左右両端部は、構築物である車庫の躯体となっている壁３に取り付けられた左右のガイドレール４の内部に上下スライド自在に挿入され、これらのガイドレール４に案内されてシャッターカーテン１が上下に移動することにより、壁３に形成された開口部となっている車両出入口５が開閉される。
【００５４】
壁３には、車両出入口５の上側において、本発明の一実施形態に係るシャッターケース６が設置されており、このシャッターケース６の内部に巻取軸７が回転自在に収納され、シャッターケース６の下面に配置されている外まぐさ部材と内まぐさ部材との間のスリットからシャッターカーテン１がシャッターケース６の内部に挿入されていて、シャッターカーテン１の上端部が巻取軸７に結合されているため、巻取軸７がシャッターケース６の内部に配置されている開閉機で回転することにより、あるいは、シャッターカーテン１の下端部を形成している座板８等に人為的な引き上げ力や引き下げ力を作用させて巻取軸７が回転することにより、シャッターカーテン１は、巻取軸７の巻き取り、繰り出しによって車両出入口５を開閉する上下の開閉移動を行う。
【００５５】
なお、巻取軸７に、シャッターカーテン１が下方へ閉じ移動するときの巻取軸７の正回転によりばね力が蓄圧されるリターンばねを配置し、シャッターカーテン１が上方へ開き移動するための巻取軸７の逆回転を、このリターンばねの蓄圧されたばね力によって補助するようにしてもよい。
【００５６】
このように、本実施形態では、シャッターカーテン１は、巻取軸７によって巻き取られ、繰り出されるものとなっている。
【００５７】
図２は、図１で示されているシャッターケース６を示しており、また、図３は、このシャッターケース６の骨組みを示しており、図４は、この骨組みの底面図である。
【００５８】
本実施形態では、シャッターケース６は、シャッターカーテン１や巻取軸７等を収納するための収納空間が内部に設けられている構造体となっており、この構造体は、図２に示されている構造体の表面を形成する面状部材である化粧パネル９と、図３や図４に示されている構造体の骨組みを形成する左右のブラケット１０、これらのブラケット１０に架け渡されている棒状部材である横部材１１，１２、外まぐさ部材１３、内まぐさ部材１４、帯状部材である補強部材１５，１６とを含んで構成されるものとなっている。なお、これらの部材１０〜１６の形状、構造についての具体的な説明は後述する。
【００５９】
上述したように、構造体の表面を形成する化粧パネル９は、図２に示されているように、第１化粧部材４１と、第２化粧部材４２と、左右一対の第３化粧部材４３とを含んで構成されるものとなっており、第１化粧部材４１が構造体の表面のうちの前表面部と底表面部を形成し、第２化粧部材４２が構造体の表面のうちの上表面部を形成し、左右一対の第３化粧部材４３が構造体の表面のうちの左右の側表面部を形成している。なお、これらの化粧部材４１〜４３の形状、構造についての具体的な説明は後述する。
【００６０】
このように、本実施形態では、シャッターケース６は、上表面部と、前表面部と、底表面部と、左右の側表面部と、を有するものとなっているが、壁３側に配置される後表面部を有するものとしてもよい。
【００６１】
本実施形態では、第１及び第２化粧部材４１，４２は、シャッターケース６の構造体の長さ方向である左右方向（言い換えると、第１及び第２化粧部材４１，４２の幅方向）に２個並設されている。そして、第１化粧部材４１同士の接続部及び第２化粧部材４２同士の接続部は、帯状部材である化粧部材４４，４５で隠されている。このため、化粧部材４４，４５も、構造体の表面を形成する化粧パネル９を構成するものとなっている。
【００６２】
なお、シャッターケース６の構造体の長さ方向の寸法である長さ寸法（左右寸法）が小さいもの（短寸法）である場合には、構造体の前表面部と底表面部は、１個の第１化粧部材４１で形成し、構造体の上表面部は、１個の第２化粧部材４２で形成するようにしてもよい。
【００６３】
図３や図４に示されているように、シャッターケース６の構造体の骨組みは、壁３に取り付けられた左右２個のブラケット１０と、これらのブラケット１０に架け渡された架け渡し部材となっていて、左右方向（構造体の長さ方向）の長さを有している棒状部材である前述の横部材１１，１２と、これらの横部材１１，１２と同じく架け渡し部材となっていて、左右方向の長さを有している棒状部材である前述の外まぐさ部材１３、内まぐさ部材１４と、シャッターケース６の構造体の長さ方向（左右方向）の途中箇所において、横部材１１と横部材１２に架け渡された帯状部材である補強部材１５と、この補強部材１５と同じシャッターケース６の構造体の長さ方向の途中箇所において、横部材１２と内まぐさ部材１４に架け渡された帯状部材である補強部材１６とを含んで構成されている。
【００６４】
これらの横部材１１，１２と、外まぐさ部材１３と、内まぐさ部材１４と、補強部材１５，１６は、車庫の壁３にシャッターケース６の構造体の骨組みを取り付けたときの状態を示している図５に示されている。
【００６５】
上述したように、本実施形態では、車庫は、車庫用シャッター装置が設置されている構築物となっており、壁３は、車庫の躯体となっており、壁３に結合されている左右一対のブラケット１０は、開閉移動するシャッターカーテン１に対して不動となっている不動部材となっているとともに、図１で示されている巻取軸７の端部７Ａを支持する支持部材となっている。
【００６６】
なお、この図５に示されているように、ブラケット１０のブラケット本体部２０における壁３側である後端部２０Ａの上部２０Ｂに配設されている横部材１１は、リップ部を有するチャンネル材によって形成され、ブラケット１０のブラケット本体部２０における壁３側とは反対側（シャッターケース６の構造体の前表面部側）である前端部２０Ｃの上部２０Ｄに配設されている横部材１２も、リップ部を有するチャンネル材によって形成されている。
【００６７】
また、図５に示されているように、横部材１２は、底部１２Ａと、この底部１２Ａの幅方向両端から平行に立ち上がった一対の壁部１２Ｂと、それぞれの壁部１２Ｂの上端に互いに近づく方向に水平に延出した一対のリップ部１２Ｃと、を有しており、この横部材１２は、壁３側へ横向きに開口した状態で、左右のブラケット１０のブラケット本体部２０に架け渡されている。一方、横部材１２と同様の形状、構造と有している横部材１１は、壁３側とは反対側へ横向きに開口した状態で、左右のブラケット１０のブラケット本体部２０に架け渡されている。
【００６８】
図３及び図４で示されている左右のブラケット１０は、図２で説明した左右の第３化粧部材４３で隠されるものであり、これらのブラケット１０におけるシャッターケース６の内側の面には、図１で示した巻取軸７の端部７Ａを支持するための軸受け部材１７が結合されている。本実施形態に係る巻取軸７は、シャッターカーテン１の上端部が結合されている回転部材と、この回転部材の内部に不回転の状態で配置され、回転部材の回転中心軸となっている中心軸とを含んで構成されており、図１で示した巻取軸７の端部７Ａは、中心軸の端部であるため、軸受け部材１７は、端部７Ａを回転不能に支持するものとなっている。
【００６９】
左右２個のブラケット１０は、左右対称の形状及び構造を有するものとなっており、図６は、これらのブラケット１０の代表として、図１における右側のブラケット１０の斜視図を示している。板金の折り曲げ品であるブラケット１０は、軸受け部材１７が結合されていることによって巻取軸７を支持する部分となっている前述のブラケット本体部２０と、このブラケット本体部２０の周端部から巻取軸７の軸方向へ折り曲げられることにより、ブラケット本体部２０から巻取軸７の軸方向へ延出しているフランジ部２１とを有する。このフランジ部２１は、ブラケット本体部２０における壁３側の後端部２０Ａに形成された後端フランジ部２１Ａと、ブラケット本体部２０の上端部２０Ｅに形成された上端フランジ部２１Ｂと、壁３側とは反対側である前端部２０Ｃに、上端フランジ部２１Ｂと前後の間隔をあけて形成された前端フランジ部２１Ｃと、ブラケット本体部２０における外まぐさ部材１３及び内まぐさ部材１４の配設箇所を除く下端部２０Ｆに形成された下端フランジ部２１Ｄとを有するものとなっており、本実施形態に係るブラケット１０は、前端部２０Ｃと下端部２０Ｆとの間が斜めに傾斜した傾斜部２０Ｇとなっているため、この傾斜部２０Ｇには、前端フランジ部２１Ｃ及び下端フランジ部２１Ｄと連続している傾斜フランジ部２１Ｅが形成されている。
【００７０】
ブラケット本体部２０における内まぐさ部材１４の配設箇所と対応する下端部２０Ｆには、板金の折り曲げ品となっているまぐさ補助部材２２が溶接で結合されている。ブラケット本体部２０から巻取軸７の軸方向へ延出しているこのまぐさ補助部材２２は、前後２箇所で立ち上がっている立上り部２２Ａ，２２Ｂと、これらの立上り部２２Ａと２２Ｂの下端同士を連結している底面部２２Ｃとを有し、まぐさ補助部材２２のブラケット１０側の端部には、舌片部２２Ｄが折り曲げで形成されており、この舌片部２２Ｄと立上り部２２Ａ，２２Ｂの端部とがブラケット本体部２０に工場で溶接によって結合されることにより、ブラケット１０には、予め工場でまぐさ補助部材２２が取り付けられている。
【００７１】
そして、まぐさ補助部材２２の立上り部２２Ａと２２Ｂのうち、壁３側の立上り部２２Ａの上端には、ブラケット本体部２０から間隔をあけた箇所において、壁３側へ水平又は略水平に延出する延出部２２Ｅが折り曲げで形成され、この延出部２２Ｅの先端は鉛直又は略鉛直に上方へ起立した起立部２２Ｆとなっており、この起立部２２Ｆには、シャッターカーテン１が内まぐさ部材１４に直接接触することを防止するための緩衝部材２３が上から挿入されて固定保持されている。そして、立上り部２２Ａのうち、延出部２２Ｅ及び起立部２２Ｆが形成されていないブラケット本体部２０側の箇所は、起立部２２Ｆよりも大きく立ち上がった状態で残されている残存部２２Ｇとなっている。
【００７２】
図３及び図４で示されている内まぐさ部材１４は、図６に示されているように、前後２箇所で立ち上がっている立上り部１４Ａ，１４Ｂと、これらの立上り部１４Ａと１４Ｂの下端同士を連結している底面部１４Ｃとを有し、２個の立上り部１４Ａ，１４Ｂのうち、壁３側とは反対側の立上り部１４Ｂの上端には、壁３側とは反対側へ水平又は略水平に延出する延出部１４Ｄが折り曲げで形成されている。２個の立上り部１４Ａ，１４Ｂの間隔は、まぐさ補助部材２２の２個の立上り部２２Ａ，２２Ｂの間隔よりも小さいため、内まぐさ部材１４の底面部１４Ｃをまぐさ補助部材２２の底面部２２Ｃの上に載せて、内まぐさ部材１４の長さ方向の端部をまぐさ補助部材２２に内側嵌合させることができる。そして、内まぐさ部材１４の長さは、巻取軸７の全長と同じ又は略同じとなっているため、内まぐさ部材１４の全長は、左右に配設されるブラケット１０の間隔と対応する長さとなっている。
【００７３】
このため、左右のブラケット１０が巻取軸７の長さ寸法と対応する間隔で配設されたときに、内まぐさ部材１４を、これらのブラケット１０に結合されているまぐさ補助部材２２に架け渡すことができるようになっている。
【００７４】
図６に示されているように、ブラケット１０のフランジ部２１のうち、後端フランジ部２１Ａは、ブラケット１０のブラケット本体部２０の下端部２０Ｆまで延びておらず、ブラケット本体部２０の上端から下へ延びているこの後端フランジ部２１Ａの下端部には、ブラケット本体部２０の上下方向の途中において、壁３側とは反対側へ水平又は略水平へ折り曲げられた第１折り曲げ部２４が形成され、水平方向又は略水平方向への長さが短くなっているこの第１折り曲げ部２４の先端には、下方へ鉛直又は略鉛直に折り曲げられた第２折り曲げ部２５が形成されており、この第２折り曲げ部２５の下端は、ブラケット本体部２０の下端まで達していない。
【００７５】
図７には、図３及び図４で示した外まぐさ部材１３が示されている。この外まぐさ部材１３も、前後２箇所で立ち上がっている立上り部１３Ａ，１３Ｂと、これらの立上り部１３Ａと１３Ｂの下端同士を連結している底面部１３Ｃとを有し、２個の立上り部１３Ａ，１３Ｂのうち、壁３側の立上り部１３Ａの立ち上がり寸法は、壁３側とは反対側の立上り部１３Ｂの立ち上がり寸法よりも長いため、外まぐさ部材１３は、Ｊ字形又は略Ｊ字形の断面形状を有するものとなっている。そして、この外まぐさ部材１３の長さは、巻取軸７の全長と同じ又は略同じとなっており、このため、この外まぐさ部材１３の全長も、左右に配設されるブラケット１０の間隔と対応する長さとなっている。
【００７６】
また、外まぐさ部材１３には、この外まぐさ部材１３の長さ方向の両端から間隔を開けた箇所において、左右方向の寸法が外まぐさ部材１３よりも短くなっている緩衝部材用保持部材２６が取り付けられている。立上り部２６Ａ，２６Ｂと、これらの立上り部２６Ａと２６Ｂの下端同士を連結している底面部２６Ｃとを有しているこの緩衝部材用保持部材２６は、壁３側の立上り部２６Ａが、外まぐさ部材１３の立上り部１３Ａにおける壁３側とは反対側の面に工場で溶接によって結合されることにより、外まぐさ部材１３に工場で取り付けられており、立上り部２６Ｂには、シャッターカーテン１が外まぐさ部材１３に直接接触することを防止するための緩衝部材２７が上から挿入されて固定保持されている。
【００７７】
この緩衝部材２７と図６で説明した緩衝部材２３は、例えば、摩擦力に対する耐久性を備えた軟質の合成樹脂で形成されている。
【００７８】
図８は、図２で示されているシャッターケース６の正面図であり、図９は、図２で示されているシャッターケース６の底面図であり、図１０は、図８のＳ１０−Ｓ１０線断面図である。また、図１１は、図１０で示されている第１及び第２化粧部材４１，４２が取り付けられる前の状態、言い換えると、第１及び第２化粧部材４１，４２が取り外されたときを示す図１０と同様の図である。
【００７９】
図２及び図８〜図１１に示されている第１化粧部材４１と第２化粧部材４２は、金属製の板材である面状部材の折り曲げにより形成されている。
【００８０】
図１１から分かるように、第１化粧部材４１は、第１垂下部（言い換えると、第１下方延出部）４１Ａ、この第１垂下部４１Ａの下端から壁３側へ下向きに傾斜した傾斜部４１Ｂと、この傾斜部４１Ｂの下端から壁３側へ水平に延びる第１水平延出部４１Ｃと、この第１水平延出部４１Ｃの先端（前端）から鉛直下方に屈曲した第１屈曲部（言い換えると、第１下方延出部）４１Ｄと、この第１屈曲部４１Ｄの下端から壁３側へ水平に延出した第２水平延出部４１Ｅとを有している。また、第１垂下部４１Ａの上端には、壁３側へ水平方向に屈曲した第２屈曲部（言い換えると、第２水平延出部）４１Ｆと、この第２屈曲部４１Ｆの先端（前端）から垂下した第２垂下部（言い換えると、第２下方延出部）４１Ｇが形成されている。
【００８１】
なお、第１化粧部材４１の第１垂下部４１Ａ、傾斜部４１Ｂ、第１水平延出部４１Ｃは、図１３に示されているブラケット本体部２０のフランジ部２１の前端フランジ部２１Ｃ、傾斜フランジ部２１Ｅ、下端フランジ部２１Ｄにそれぞれ略対応する形状を有しており、第１化粧部材４１の第１屈曲部４１Ｄ、第２水平延出部４１Ｅは、図１２に示されているまぐさ補助部材２２の立上り部２２Ｂ、底面部２２Ｃにそれぞれ略対応する形状を有している。
【００８２】
このように、本実施形態では、第１化粧部材４１の第１垂下部４１Ａと傾斜部４１Ｂにより、シャッターケース６の構造体の表面のうちの前表面部が形成され、第１化粧部材４１の第１水平延出部４１Ｃと第１屈曲部４１Ｄと第２水平延出部４１Ｅにより、シャッターケース６の構造体の表面のうちの底表面部が形成されている。
【００８３】
また、本実施形態では、第１化粧部材４１の第２屈曲部４１Ｆは、棒状部材である横部材１２の上の壁部１２Ｂに載置される被載置部となっている。一方、横部材１２の上の壁部１２Ｂは、第１化粧部材４１の第２屈曲部４１Ｆが載置する載置部となっており、横部材１２の上のリップ部１２Ｃは、上の壁部１２Ｂから下向きに延びる下方延出部となっている。そして、第１化粧部材４１の上端部に形成された第２垂下部４１Ｇは、第１化粧部材４１の第２屈曲部４１Ｆから折り曲げられた部分となっている折り曲げ部であるとともに、横部材１２の上のリップ部１２Ｃと対向していて下向きに延びる下方延出部となっており、横部材１２の上のリップ部１２Ｃに係止可能な係止部となっている。このように、係止部である第２垂下部４１Ｇは、第１化粧部材４１の上端部に設けられた折り曲げ部となっている。
【００８４】
なお、第１化粧部材４１の上端部の折り曲げにより形成されている第２屈曲部４１Ｆ及び第２垂下部４１Ｇは、シャッターケース６の構造体の長さ方向である第１化粧部材４１の幅方向（左右方向）全長又は略全長に渡って形成されている。
【００８５】
また、図１１から分かるように、第２化粧部材４２は、壁３側とは反対側へ下向きに緩やかに傾斜した第１傾斜部４２Ａと、この第１傾斜部４２Ａの先端（前端）から壁３側とは反対側へ下向きに第１傾斜部４２Ａよりも大きく傾斜した第２傾斜部４２Ｂと、この第２傾斜部４２Ｂの先端（前端）から垂下した垂下部（言い換えると、下方延出部）４２Ｄと、この垂下部４２Ｄの下端から壁３側へ斜め上向きに屈曲した屈曲部４２Ｅと、を有している。また、上記第１傾斜部４２Ａの後端部（壁３側の端部）には、垂直上方に立ち上がった立上り部４２Ｃが形成されている。
【００８６】
なお、第２化粧部材４２の第１傾斜部４２Ａ、第２傾斜部４２Ｂは、図１３に示されているブラケット本体部２０のフランジ部２１の上端フランジ部２１Ｂに略対応する形状を有している。
【００８７】
このように、本実施形態では、第２化粧部材４２の第１傾斜部４２Ａと第２傾斜部４２Ｂにより、シャッターケース６の構造体の表面のうちの上表面部が形成されている。
【００８８】
また、本実施形態では、図１０に示されているように、第２化粧部材４２の第２傾斜部４２Ｂの前端（先端）と垂下部４２Ｄと屈曲部４２Ｅは、第１化粧部材４１の第１垂下部４１Ａよりも壁３側とは反対側に突出している。このため、第２化粧部材４２の第２傾斜部４２Ｂの前端と垂下部４２Ｄと屈曲部４２Ｅは、係止部である第１化粧部材４１の第２垂下部４１Ｇや、被載置部である第２屈曲部４１Ｆの外側を覆う覆い部となっている。このように、第２化粧部材４２には、第１化粧部材４１の第２垂下部４１Ｇや第２屈曲部４１Ｆの外側を覆う覆い部が設けられている。
【００８９】
以上の説明は、図２に示されている左右の第１及び第２化粧部材４１，４２のうち、右側の第１及び第２化粧部材４１，４２についてであったが、左側の第１及び第２化粧部材４１，４２についても同様である。
【００９０】
なお、被載置部である第２屈曲部４１Ｆが横部材１２の上の壁部１２Ｂに載置しているとともに、係止部である第２垂下部４１Ｇが横部材１２の上のリップ部１２Ｃに係止している第１化粧部材４１は、図１０に示されているように、第１垂下部４１Ａの上部がビス等の結合具３４により横部材１２の底部１２Ａに結合されているとともに、第１水平延出部４１Ｃがビス等の結合具３５（図８及び図９も参照）により内まぐさ部材１４の延出部１４Ｄに結合されている。
【００９１】
また、第２化粧部材４２の立上り部４２Ｃは、図１０に示されているように、ビス等の結合具３６により壁３に結合されている。
【００９２】
また、図２に示されている帯状の化粧部材４４は、ビス等の結合具３７（図８参照）により第２化粧部材４２の第１傾斜部４２Ａと第２傾斜部４２Ｂに結合されており、図２示されている帯状の化粧部材４５は、ビス等の結合具３８（図８及び図９参照）により第１化粧部材４１の第１水平延出部４１Ｃに結合されている。なお、これらの化粧部材４４，４５も、金属製の板材の折り曲げにより形成されている。
【００９３】
図２、図８及び図９に示されている左右の第３化粧部材４３も、金属製の板材である面状部材の折り曲げにより形成されている。この左右の第３化粧部材４３は、図８から分かるように、ビス等の結合具３９により、第２化粧部材４２の第１傾斜部４２Ａの幅方向（左右方向）の端部と、ブラケット１０のブラケット本体部２０の上端フランジ部２１Ｂに結合されているとともに、ビス等の結合具３９により、第１化粧部材４１の第１垂下部４１Ａの幅方向の端部と、ブラケット１０のブラケット本体部２０の前端フランジ部２１Ｃに結合されており、また、図９から分かるように、ビス等の結合具３９により第１化粧部材４１の第１水平延出部４１Ｃの幅方向の端部と、ブラケット１０のブラケット本体部２０の下端フランジ部２１Ｄに結合されている。
【００９４】
このように、本実施形態では、左右の第３化粧部材４３は、シャッターケース６の構造体の表面のうちの側表面部を形成している。
【００９５】
また、本実施形態では、左右の第３化粧部材４３は、左右のブラケット１０のブラケット本体部２０の外側面部と、このブラケット本体部２０のフランジ部２１Ｂ〜２１Ｅ等を覆っている第１及び第２化粧部材４１，４２の幅方向である左右方向の両端部とを、この左右方向から覆うためのカバー部材（覆い部材）となっている。
【００９６】
次に、本実施形態に係る車庫用シャッター装置を設置するための現場となっている車庫でのシャッターケース６の配設施工作業について説明する。
【００９７】
工場で生産された車庫用シャッター装置の各種の構成部材は上記現場に搬入され、これらの構成部材には、シャッターケース６の構造体の前述した骨組みを構成する各部材や、シャッターカーテン６の構造体の表面を形成するための各化粧部材、図１で示したガイドレール４、巻取軸７及びシャッターカーテン１等が含まれる。
【００９８】
現場では、最初に、図３の横部材１１，１２と共にシャッターケース６の構造体の骨組みを構成する部材となっている外まぐさ部材１３と内まぐさ部材１４とのうち、車庫の躯体である壁３側に配置されるまぐさ部材となっている外まぐさ部材１３を壁３における図１の車両出入口５の上側に取り付ける作業が行われる。
【００９９】
図１２には、この外まぐさ部材１３の取り付け作業が終了した状態が示されており、外まぐさ部材１３の立上り部１３Ａには釘等の結合具３０を挿入するための下孔が形成されており、この立上り部１３Ａおける緩衝部材用保持部材２６が結合されている面とは反対側の面を壁３に押し当てて外まぐさ部材１３を水平姿勢とした後に、外まぐさ部材１３は、下孔に挿入した結合具３０により壁３に結合される。結合具３０は外まぐさ部材１３の長さ方向に複数本あり、緩衝部材用保持部材２６の配置箇所と一致している部分では、この緩衝部材用保持部材２６の立上り部２６Ａにも結合具３０を挿入するための下孔が形成されているため、結合具３０はこの立上り部２６Ａにも挿入されて壁３に打ち込まれる。
【０１００】
このように壁３の所定箇所に外まぐさ部材１３を結合した後に、図１２に示されているように、左右のブラケット１０のうち、一方のブラケット１０を、外まぐさ部材１３の長さ方向の端部よりも少し外側の位置において、壁３に沿って上から下へ落とし込む作業を行う。これにより、図７で示す外まぐさ部材１３の立上り部１３Ａにおける長さ方向の端部Ａが、言い換えると、緩衝部材用保持部材２６が配置されていない立上り部１３Ａの端部Ａが、図１２で示されている壁３の表面と、ブラケット１０の後端フランジ部２１Ａの第２折り曲げ部２５との間に形成されている隙間３１に挿入されることになる。すなわち、この隙間３１は、外まぐさ部材１３の立上り部１３Ａの端部Ａを挿入するためにブラケット１０に設けられた挿入部となり、また、第２折り曲げ部２５は、壁３と前後方向に対面して端部Ａを押えるためのブラケット１０の押え部となる。このため、ブラケット１０の後端フランジ部２１Ａの水平方向又は略水平方向へ折り曲げられている第１折り曲げ部２４の折り曲げ長さ寸法は、端部Ａの厚さ寸法と同じ又はこの寸法より若干大きい寸法となっている。
【０１０１】
これにより、ブラケット１０は、壁３と、押え部となっている第２折り曲げ部２５とにより、前後方向に位置決めされることになり、この位置決めを行うための位置決め部が、壁３と、第２折り曲げ部２５による押え部との間に形成された隙間３１による上記挿入部によって形成されていることになる。
【０１０２】
また、本実施形態では、上記挿入部となっている隙間３１は下面側に開口部を有するものとなっているため、外まぐさ部材１３の立上り部１３Ａの端部Ａを隙間３１に挿入する作業を、壁３に結合された外まぐさ部材１３に対し、ブラケット１０を壁３に沿って上から下に落とし込むという簡単な作業により容易に行える。
【０１０３】
以上の作業後に、左右のブラケット１０のうち、他方のブラケット１０についても、以上と同様の作業を、図７で示す外まぐさ部材１３の立上り部１３Ａの端部Ａとは反対側の端部Ｂに対して行う。
【０１０４】
この作業を行ったときには、左右のブラケット１０が、外まぐさ部材１３の長さ方向の両端部よりも少し外側の位置に配置されているため、これらのブラケット１０を内側へ移動させ、これにより、図７で示す外まぐさ部材１３の立上り部１３Ａの長さ方向の両方の端面１３Ｄ，１３Ｅに左右のブラケット１０のブラケット本体部２０を突き当てる。これにより、前述したとおり、外まぐさ部材１３の長さは巻取軸７の長さと対応する寸法に予め設定されていて、この寸法は、左右に配設されるブラケット１０の本来の間隔と同じ又は略同じになっているため、左右のブラケット１０は、外まぐさ部材１３が基準部材となって壁３に正しい間隔を開けて配設されたことになる。
【０１０５】
この後に、図１３に示されているように、それぞれのブラケット１０の後端フランジ部２１Ａを釘等の結合具３２によって壁３に取り付ける作業を行い、これにより、左右のブラケット１０を壁３に固定する。すなわち、横部材１１，１２が架け渡される左右一対のブラケット１０を壁３に結合する工程が実施される。
【０１０６】
図１４には、左右のブラケット１０が外まぐさ部材１３の長さ寸法で規定される間隔でこの外まぐさ部材１３の両端に配設された状態が、壁３が省略されて示されている。
【０１０７】
次いで、左右のブラケット１０に結合されているまぐさ補助部材２２に図６で説明した内まぐさ部材１４を架け渡す作業を行うとともに、図４に示されているように、内まぐさ部材１４の両端部をそれぞれのまぐさ補助部材２２にビス等の結合具４０により結合する。
【０１０８】
次いで、図５や図１０で示されている横部材１１を壁３に釘等の結合具３３により結合して、この横部材１１の両端部を左右のブラケット１０のブラケット本体部２０の後端部２０Ａの上部２０Ｂに溶接等で連結する作業や、図５や図１０で示した横部材１２の両端部を左右のブラケット１０のブラケット本体部２０の前端部２０Ｃの上部２０Ｄに溶接等で連結する作業を行う。このように、左右のブラケット１０のブラケット本体部２０おける壁３側とは反対側である前端部２０Ｃの上部２０Ｄに横部材１２を架け渡す工程が実施される。
【０１０９】
また、図１で示した左右のガイドレール４の上端部を、ブラケット１０に隣接した位置であって、外まぐさ部材１３と内まぐさ部材１４との間の箇所、すなわち、図４で示されているまぐさ補助部材２２と外まぐさ部材１３と２個の緩衝部材２３，２７とブラケット１０とで囲まれる空間部であって、図６で説明したまぐさ補助部材２２の残存部２２Ｇによって形成されている箇所に下から挿入して、これらのガイドレール４を壁３に取り付ける作業を行う。
【０１１０】
さらに、シャッターカーテン１が予め巻き取られている巻取軸７の両端部を、左右のブラケット１０のブラケット本体部２０に設けられている軸受け部材１７に架け渡してこれらの軸受け部材１７によって支持させる作業を行い、この作業後に、シャッターカーテン１を巻取軸７から繰り出して、このシャッターカーテン１を、図４で示されている外まぐさ部材１３と内まぐさ部材１４との間に形成されているスリットＳに上から下へ挿通させ、シャッターカーテン１の左右の両端部をこれらのガイドレール４の内部に上下にスライド自在に挿入させる。
【０１１１】
なお、図５に示されているように、本実施形態に係るガイドレール４の上端部には、シャッターカーテン１の左右の両端部をガイドレール４の内部へ案内するために、前後方向であるシャッターカーテン１の厚さ方向に拡開した拡開部が設けられており、この拡開部を設けることは、ガイドレール４の上端部を上述した箇所に挿入した後に実施してもよい。
【０１１２】
この後に、図３で説明した帯状部材である補強部材１５を横部材１１と横部材１２に架け渡してビス等の結合具でこれらの横部材１１と１２に結合する作業や、帯状部材である補強部材１６を横部材１２と内まぐさ部材１４に架け渡してビス等の結合具でこれらの横部材１２と内まぐさ部材１４に結合する作業を行う。
【０１１３】
以上で、シャッターケース６の構造体の骨組みを組み立てる（施工する）作業が完了し、この後、シャッターケース６の構造体の表面を形成する前述した化粧部材４１〜４３及び化粧部材４４，４５を骨組みや壁３等に取り付ける作業を行う。
【０１１４】
まず、図１５に示すように、第１化粧部材４１を傾斜させながら持ち上げ、この第１化粧部材４１の第２垂下部４１Ｇを横部材１２の上のリップ部１２Ｃに係止させるとともに、第１化粧部材４１の第２屈曲部４１Ｆを横部材１２の上の壁部１２Ｂに載置させる作業を行う。
【０１１５】
この後、持ち上げていた図１５に示す第１化粧部材４１から手を離すことにより、この第１化粧部材４１の第２屈曲部４１Ｆが横部材１２の上の壁部１２Ｂに載置するとともに、第１化粧部材４１の第２垂下部４１Ｇが横部材１２の上のリップ部１２Ｃに係止可能な状態となり、第１化粧部材４１は、図１０に示されているように、横部材１２に吊り下げられた状態となる。
【０１１６】
前述したように、本実施形態では、シャッターケース６の構造体の表面のうち、前表面部と底表面部は、図２、図８及び図９に示されているように、左右方向に並設された２個の第１化粧部材４１により形成されるものである。
【０１１７】
このため、本実施形態では、左右のブラケット１０に架け渡された横部材１２のうちの右半分の部分に、２個の第１化粧部材４１のうちの一方を吊り下げる上述した作業を行うとともに、横部材１２のうちの左半分の部分に、２個の第１化粧部材４１のうちの他方を吊り下げる上述した作業を行う。このように、第１化粧部材４１に設けられている係止部である第２垂下部４１Ｇを横部材１２の上のリップ部１２Ｃに係止する工程が実施される。
【０１１８】
この後、横部材１２に吊り下げられた２個の第１化粧部材４１を、この横部材１２に取り付ける作業を行う。すなわち、前述したように、図１０に示されているように、第１化粧部材４１の第１垂下部４１Ａの上部を、ビス等の結合具３４により横部材１２の底部１２Ａに結合するとともに、第１化粧部材４１の第１水平延出部４１Ｃを、ビス等の結合具３５（図８及び図９も参照）により内まぐさ部材１４の延出部１４Ｄに結合する作業を行う。このように、第１化粧部材４１を横部材１２に取り付ける工程が実施される。
【０１１９】
次に、第２化粧部材４２を配設する（取り付ける）作業を行う。前述したように、本実施形態では、シャッターケース６の構造体の表面のうち、上表面部は、図２、図８に示されているように、左右方向に並設された２個の第２化粧部材４２により形成されるものである。
【０１２０】
まず、２個の第２化粧部材４２のうちの一方を、ブラケット１０の上の高さ位置まで持ち上げ、この持ち上げた第２化粧部材４２の幅方向の両端部のうちのブラケット１０側の端部を、ブラケット１０の上端フランジ部２１Ｂ（図１３参照）に載置するとともに、第２化粧部材４２の第２傾斜部４２Ｂを、横部材１２に吊り下げられている第１化粧部材４１の第１垂下部４１Ａと第２屈曲部４１Ｆとの角部４１Ｈ（図１０及び図１１参照）に載置し、また、第２化粧部材４２の立上り部４２Ｃが壁３に当接するように配置する作業を行う。なお、このとき、第２化粧部材４２のシャッターケース６の中央寄りの部分は、図３に示す補強部材１５に載置されることになる。２個の第２化粧部材４２のうちの他方についても、上述した作業を行う。
【０１２１】
これにより、左右２個の第２化粧部材４２は、ブラケット１０の上端フランジ部２１Ｂと、横部材１２に吊り下げられている第１化粧部材４１の第１垂下部４１Ａと第２屈曲部４１Ｆとの角部４１Ｈと、壁３と、補強部材１５とに支持された状態となる。
【０１２２】
この後、図１０や、壁３の表示が省略されている図８に示されているように、左右の第２化粧部材４２の立上り部４２Ｃを、ビス等の結合具３６により壁３に結合する作業を行う。
【０１２３】
以上のように、第１及び第２化粧部材４１，４２の配設作業が終了した後は、第３化粧部材４３を配設する作業を行う。前述したように、本実施形態では、シャッターケース６の構造体の表面のうち、左右の側表面部は、図２、図８及び図９に示されているように、左右一対の第３化粧部材４３により形成されるものである。
【０１２４】
金属製の板材である面状部材の折り曲げにより形成されている第３化粧部材４３の周縁部には、図１３に示されている左右のブラケット１０のブラケット本体部２０に形成されているフランジ部２１Ｂ〜２１Ｅに略対応する複数のフランジ部４３Ａが形成されており、これらのフランジ部４３Ａも、上述したフランジ部２１Ｂ〜２１Ｅと同様に、巻取軸７の軸方向（シャッターケース６の幅方向内側）へ延出している。
【０１２５】
左右の第３化粧部材４３を配設する作業は、まず、左右のブラケット１０のブラケット本体部２０の外側面部と、このブラケット本体部２０のフランジ部２１Ｂ〜２１Ｅ等の表面を覆っている第１及び第２化粧部材４１，４２の幅方向である左右方向の両端部とを、この左右方向から覆うように、第３化粧部材４３に形成された各フランジ部４３を嵌合させる作業を行う。これにより、左右の第３化粧部材４３は、図８及び図９に示されているように、左右のブラケット１０のブラケット本体部２０の外側面部と、第１及び第２化粧部材４１，４２の幅方向である左右方向の両端部とを、この左右方向から覆っている状態となる。
【０１２６】
この後、左右の第３化粧部材４３のフランジ部４３Ａを、図８に示すように、ビス等の結合具３９により、第２化粧部材４２の第１傾斜部４２Ａの幅方向（左右方向）の端部と、ブラケット１０のブラケット本体部２０の上端フランジ部２１Ｂに結合するとともに、ビス等の結合具３９により、第１化粧部材４１の第１垂下部４１Ａの幅方向の端部と、ブラケット１０のブラケット本体部２０の前端フランジ部２１Ｃに結合し、また、図９に示すように、ビス等の結合具３９により第１化粧部材４１の第１水平延出部４１Ｃの幅方向の端部と、ブラケット１０のブラケット本体部２０の下端フランジ部２１Ｄに結合する作業を行う。
【０１２７】
以上のように、第３化粧部材４３の配設作業が終了した後は、シャッターケース６の長さ方向の中央部又は略中央部において、配設された左右の第１及び第２化粧部材４１，４２の幅方向の端部同士が対向する部分を覆い隠すための帯状の化粧部材４４，４５を取り付ける作業を行う。
【０１２８】
すなわち、図８に示されているように、帯状の化粧部材４４を、ビス等の結合具３７により第２化粧部材４２の第１傾斜部４２Ａと第２傾斜部４２Ｂに結合するとともに、図８及び図９に示されているように、帯状の化粧部材４５を、ビス等の結合具３８により第１化粧部材４１の第１水平延出部４１Ｃに結合する作業を行う。
【０１２９】
なお、図示されていないが、互いに対向する左右の第２化粧部材４２の幅方向の端部同士の間には、隙間が形成されており、互いに対向する左右の第２化粧部材４２の幅方向の端部の一方の底面には、他方の底面まで延びる延出部材が取り付けられており、化粧部材４４は、ビス等の結合具３７により、第２化粧部材４２に取り付けられた上記延出部材に結合されている。これと同様に、図示されていないが、互いに対向する左右の第１化粧部材４１の幅方向の端部同士の間にも、隙間が形成されており、互いに対向する左右の第１化粧部材４１の幅方向の端部の一方の底面には、他方の底面まで延びる延出部材が取り付けられており、化粧部材４５は、ビス等の結合具３８により、第１化粧部材４１に取り付けられた上記延出部材に結合されている。
【０１３０】
以上の作業により、シャッターケース６の配設施工作業は完了する。
【０１３１】
以上説明した本実施形態では、シャッターケース６の構造体の表面のうち、前表面部と底表面部を形成する第１化粧部材４１の上端部には、左右のブラケット１０に架け渡された横部材１２の上の壁部１２Ｂに載置される第２屈曲部４１Ｆと、横部材１２の上のリップ部１２Ｃに係止可能な第２垂下部４１Ｇが形成されている。
【０１３２】
このため、本実施形態では、シャッターケース６を施工する（組み立てる）作業のうち、シャッターケース６を構成する構造体の横部材１２に第１化粧部材４１を取り付ける作業において、作業者は、まず、第１化粧部材４１を持ち上げ、この第１化粧部材４１の第２屈曲部４１Ｆを横部材１２の上の壁部１２Ｂに載置するとともに、この第１化粧部材４１の第２垂下部４１Ｇを横部材１２の上のリップ部１２Ｃに係止させる作業を行う。これにより、第１化粧部材４１を横部材１２に吊り下げられた状態、すなわち、第１化粧部材４１を横部材１２に係止した状態とすることができる。
【０１３３】
この後、作業者は、図１０に示されているように、第１化粧部材４１の第１垂下部４１Ａの上部をビス等の結合具３４により横部材１２の底部１２Ａに結合するとともに、図８及び図９に示されているように、第１化粧部材４１の第１水平延出部４１Ｃをビス等の結合具３５により内まぐさ部材１４の延出部１４Ｄに結合する作業に専念することができる。
【０１３４】
すなわち、本実施形態では、シャッターケース６を施工する作業のうち、横部材１２に第１化粧部材４１を取り付ける作業において、前述した従来のように、１人の作業者が第１化粧部材４１を横部材１２に取り付ける位置まで持ち上げた状態で（持ち上げながら）、もう１人の作業者が第１化粧部材４１を横部材１２に取り付けるということをしなくて済むようになり、横部材１２に第１化粧部材４１を取り付けるためのこれらの作業を１人の作業者でも行うことができるようになる。
【０１３５】
このため、本実施形態によると、シャッターケース６の施工作業をより少ない労力で行えるようになる。また、本実施形態によると、シャッターケース６の施工作業に必要なビス等の結合具の数をより少なくすることもできる。
【０１３６】
また、本実施形態では、図１０に示されているように、横部材１２に吊り下げられている状態の第１化粧部材４１の被載置部である第２屈曲部４１Ｆと、第１化粧部材４１の係止部である第２垂下部４１Ｇは、第２化粧部材４２の第２傾斜部４２Ｂと垂下部４２Ｄと屈曲部４２Ｅにより覆われている。
【０１３７】
このため、本実施形態によると、第２化粧部材４２に雨水が流れ込んだとしても、この第２化粧部材４２の第２傾斜部４２Ｂと垂下部４２Ｄと屈曲部４２Ｅにより、第１化粧部材４１の第２屈曲部４１Ｆと第２垂下部４１Ｇに雨水が流れ込むことが防止される。すなわち、本実施形態によると、第１化粧部材４１の第２屈曲部４１Ｆと第２垂下部４１Ｇに対する雨仕舞いが適切に行われるようになる。
【０１３８】
また、本実施形態では、図１０に示されているように、第１垂下部４１Ａの上部を横部材１２の底部１２Ａに結合するためのビス等の結合具３４も、第２化粧部材４２の第２傾斜部４２Ｂの前端と垂下部４２Ｄと屈曲部４２Ｅで覆われるようになっている。
【０１３９】
このため、本実施形態によると、結合具３４が雨水にさらされて錆びつくことを防止することができる。
【０１４０】
なお、本実施形態では、第１化粧部材４１の被載置部である第２屈曲部４１Ｆと、第１化粧部材４１の係止部である第２垂下部４１Ｇは、第１化粧部材４１の上端部の折り曲げにより形成されているが、第１化粧部材４１の第２屈曲部４１Ｆと第２垂下部４１Ｇは、押し出し加工や引き抜き加工により形成されるものであってもよい。
【０１４１】
なお、本実施形態では、第１化粧部材４１の上端部に形成された第２垂下部４１Ｇが横部材１２の上のリップ部１２Ｃに係止するものとなっていたが、横部材１２の上の壁部１２Ｂに溝部を形成するとともに、第１化粧部材４１の上端部には、前記溝部に係合又は嵌合可能な第２垂下部を形成するようにし、第１化粧部材４１の前記第２垂下部が横部材１２の前記溝部に係合又は嵌合するものとしてもよい。
【０１４２】
ここで、前記溝部は、横部材１２の長さ方向略全長に渡る１個の長溝となっていてもよく、横部材１２の長さ方向に離間して形成された複数個の長溝となっていてもよい。前者の場合には、第１化粧部材４１の上端部に形成する第２垂下部は、前記長溝の長さ寸法と同じ又はこれより小さい１個の垂下部となっていてもよく、第１化粧部材４１の長さ方向に離間して形成された複数個の垂下部となっていてもよい。
【産業上の利用可能性】
【０１４３】
本発明は、シャッターケースを有している、例えば、車庫用シャッター装置や、店舗等の出入口用シャッター装置、防災用シャッター装置、オーニング装置、防煙垂れ壁装置、オーバースライディングドア（オーバーヘッドドア）装置などの各種のシャッター装置に利用することができる。
【符号の説明】
【０１４４】
１  シャッターカーテン
３  構築物である車庫の躯体となっている壁
６  シャッターケース
７  巻取軸
１０  ブラケット
１２  棒状部材である横部材
１２Ｂ  載置部である上の壁部
１２Ｃ  載置部の下方延出部である上のリップ部
２０Ｃ  ブラケットの本体部の前端部
２０Ｄ  ブラケットの本体部の前端部の上部
４１  第１面状部材である第１化粧部材
４１Ａ  構造体の前表面部を形成する第１化粧部材の第１垂下部
４１Ｂ  構造体の前表面部を形成する第１化粧部材の傾斜部
４１Ｃ  構造体の底表面部を形成する第１化粧部材の第１水平延出部
４１Ｄ  構造体の底表面部を形成する第１化粧部材の第１屈曲部
４１Ｅ  構造体の底表面部を形成する第１化粧部材の第２水平延出部
４１Ｆ  被載置部である第２屈曲部
４１Ｇ  係止部であって下方延出部である第２垂下部
４２  第２面状部材である第２化粧部材
４２Ａ  構造体の上表面部を形成する第２化粧部材の第１傾斜部
４２Ｂ  構造体の上表面部を形成する第２化粧部材の第２傾斜部
４２Ｄ  覆い部を形成する第２面状部材の垂下部
４２Ｅ  覆い部を形成する第２面状部材の屈曲部
４３  構造体の左右の側表面部を形成する第３面状部材である第３化粧部材
【図１】
2014136904.tif 000003
【図２】
2014136904.tif 000004
【図３】
2014136904.tif 000005
【図４】
2014136904.tif 000006
【図５】
2014136904.tif 000007
【図６】
2014136904.tif 000008
【図７】
2014136904.tif 000009
【図８】
2014136904.tif 000010
【図９】
2014136904.tif 000011
【図１０】
2014136904.tif 000012
【図１１】
2014136904.tif 000013
【図１２】
2014136904.tif 000014
【図１３】
2014136904.tif 000015
【図１４】
2014136904.tif 000016
【図１５】
2014136904.tif 000017